(57)【要約】【課題】テストプリント時の一連の操作を簡単に実行することのできる印刷システムを提供すること。【解決手段】印刷システムにおいて、画像処理装置は、印刷データの印刷条件を設定する印刷条件設定部と、印刷条件設定部により設定された印刷条件での印刷結果を確認するためのテスト印刷をする際、印刷条件を識別するための識別情報を印刷データに付加した印刷データをテスト印刷データとし出力するとともに、識別情報に対応した印刷データを本印刷データとして印刷装置に出力する印刷データ生成部とを備えて、印刷装置は、画像処理装置から出力されたテスト印刷データ又は本印刷データを印刷装置に保存して管理する印刷データ管理部と、印刷装置がテスト印刷の印刷要求を受けた場合、印刷部によりテスト印刷された印刷条件にて本印刷データを印刷することを印刷装置に要求させるために、識別情報を表示する操作部とを備えて、印刷部は、操作部により操作された識別情報に対応した本印刷データを印刷する。【選択図】図２
2015011453.tif 000002
【特許請求の範囲】
【請求項１】
印刷データを画像処理して出力する画像処理装置と前記画像処理装置から出力された印刷データに基づき印刷を行う印刷装置からなる印刷システムにおいて、
前記画像処理装置は、
印刷データの印刷条件を設定する印刷条件設定部と、
前記印刷条件設定部により設定された印刷条件での印刷結果を確認するためのテスト印刷をする際、前記印刷条件を識別するための識別情報を前記印刷データに付加した印刷データをテスト印刷データとし出力するとともに、前記識別情報に対応した前記印刷データを本印刷データとして前記印刷装置に出力する印刷データ生成部と、を備え、
前記印刷装置は、
前記画像処理装置から出力された前記テスト印刷データ又は前記本印刷データを前記印刷装置に保存して管理する印刷データ管理部と、
前記印刷装置がテスト印刷の印刷要求を受けた場合、前記印刷データ管理部により管理される前記テスト印刷データを印刷する印刷部と、
前記印刷部によりテスト印刷された印刷条件にて本印刷データを印刷することを前記印刷装置に要求させるために、前記識別情報を表示する操作部と、を備え、
前記印刷部は、前記操作部により操作された前記識別情報に対応した前記本印刷データを印刷する
ことを特徴とする印刷システム。
【発明の詳細な説明】
【技術分野】
【０００１】
本発明は、印刷データを生成して印刷装置に出力する印刷システムに関する。
【背景技術】
【０００２】
モニタ画面に表示される色合いと印刷画像の色合いは、微妙に異なる。そのため、特に写真画像等の場合には印刷条件の設定が必要になり、印刷時には、プリンタドライバの画面で、印刷条件の細かい設定が行われることが多い。印刷条件の設定に関する提案として、例えば保存した印刷設定データを簡単に呼び出す方法がある（特許文献１）。
【０００３】
このように、印刷条件を変えて何枚かを実際に印刷して（テストプリントとも呼ばれる）、これらを並べて比較して、条件を決めることもしばしば行われる。
【先行技術文献】
【特許文献】
【０００４】
【特許文献１】特開２００６−２２１４１４号公報
【発明の概要】
【発明が解決しようとする課題】
【０００５】
しかしながら、テストプリント（以下、ＴＰともいう）をしてから正式な印刷（以下、本印刷という）を行うやり方の場合には、ＰＣ（Personal computer）でテストプリントの印刷要求をしてテストプリントを繰り返した後、本印刷の要求をする場合がある。これら印刷要求をするには、わざわざＰＣに戻ってから要求する操作が必要であり手間であった。
【０００６】
本願発明は、上記課題に鑑み、テストプリント時の一連の操作を簡単に実行することのできる印刷システムを提供することを目的とする。
【課題を解決するための手段】
【０００７】
上記目的を達成するために、第１の発明に係る印刷システムは、印刷データを画像処理して出力する画像処理装置と前記画像処理装置から出力された印刷データに基づき印刷を行う印刷装置からなる印刷システムにおいて、前記画像処理装置は、印刷条件の設定を行う印刷条件設定部と、前記印刷条件設定部により設定された印刷条件での印刷データの印刷結果を確認するためのテスト印刷をする際、前記印刷条件を識別するための識別情報と前記印刷データとを組み合わせた印刷データをテスト印刷データとし出力するとともに、前記識別情報に対応した前記印刷データを本印刷データとして前記印刷装置に出力する印刷データ生成部と、を備え、前記印刷装置は、前記画像処理装置から出力された前記テスト印刷データ又は前記本印刷データを前記印刷装置に保存して管理する印刷データ管理部と、前記印刷装置がテスト印刷の印刷要求を受けた場合、前記印刷データ管理部により保存された前記テスト印刷データを印刷する印刷部と、前記印刷部によりテスト印刷された印刷条件にて本印刷データを印刷することを前記印刷装置に要求するために、前記識別情報を前記操作部に表示する操作部と、を備え、前記印刷部は、前記操作部により操作された前記識別情報に対応した前記本印刷データを印刷することを特徴とする。
【０００８】
第１の発明に係る印刷システムによれば、テストプリント印刷物に識別情報が印刷され、印刷された識別情報がプリンタ装置の操作パネルに表示されるので、画像処理装置の場所に戻らなくても、その場でテスト印刷した印刷条件と同様の印刷条件で本印刷を実行することができる。つまり、画像処理装置とプリンタ装置間を移動する回数を減らすことができるので、ＰＣとプリンタ装置が離れているような環境でテスト印刷を実行することが、手軽にできるようになる。
【発明の効果】
【０００９】
本発明によれば、テストプリント時の一連の操作を簡単に実行することのできる印刷システムを提供することができる。
【図面の簡単な説明】
【００１０】
【図１】ＰＣ１０とプリンタ装置５０からなる印刷システム全体を示す図である。
【図２】テストプリントの設定保存と出力処理の手順を説明するフローチャートである。
【図３】プリンタ装置５０でホールドデータから印刷する処理の手順を説明するフローチャートである。
【図４】仮保存した設定とホールドデータの削除処理１の手順を説明するフローチャートである。
【図５】仮保存した設定とホールドデータの削除処理２の手順を説明するフローチャートである。
【図６】仮保存された設定を登録する処理の手順を説明するためのフローチャートである。
【図７】プロパティウインドウ１００の例を示す図である。
【図８】テストプリント関連のテストプリントボタン群１１０を拡大して示す図である。
【図９】テストプリントウインドウ１３０の例を示す図である。
【図１０】テストプリントデータ画面１５０の例を示す図である。
【図１１】登録／削除ウインドウ１４０の例を示す図である。
【図１２】プリンタ装置５０で印刷されるテスト印刷物２００と本印刷物２１０を対比して示す図である。
【発明を実施するための形態】
【００１１】
以下、図面に従って本発明の実施形態を説明する。図１は、ＰＣ１０とプリンタ装置５０からなる印刷システム全体を示す図である。ＰＣ（Personal computer）１０とプリンタ装置５０は、有線回線または無線回線で接続される。
【００１２】
ＰＣ１０は、ＣＰＵ１２、記憶部３０、表示部３２、操作部３４、通信部３６を有する。ＣＰＵ１２は、各種制御プログラムを読込んで実行することで、ＰＣ１０全体を統括的に制御する制御部である。記憶部３０は、ＨＤＤやフラッシュメモリであって、各種制御プログラムやデータを不揮発的に記憶する。表示部３２は、例えばＬＣＤであって、操作用の画面や印刷画像等を表示する。操作部３４は、例えばキーボードやマウスであって、操作者からの入力を受け付け、ＣＰＵ１２に通知する。通信部３６は、接続される外部装置（ここでは、プリンタ装置５０）とデータの授受を行う。通信部３６の形式は、例えば、ＬＡＮやＵＳＢである。
【００１３】
ＣＰＵ１２は、プリンタドライバ部２０を有する。プリンタドライバ部２０は、プログラムを読込んだＣＰＵ１２により実行されるソフトウェアによる機能部である。プリンタドライバ部２０は、接続されたプリンタ装置５０用の印刷データを作成して、接続されたプリンタ装置５０を制御して、プリンタ装置５０に文字や画像を印刷させる。プリンタドライバ部２０は、画像処理装置とも称す。
【００１４】
プリンタドライバ部２０は、印刷条件設定部２２、印刷条件管理部２４及び印刷データ生成部２６を有する。印刷条件設定部２２は、用紙サイズ、印刷枚数等の他、輝度・色相・ガンマ等の条件を設定する。印刷条件設定部２２は、表示部３２に表示される印刷条件設定画面上（プロパティウインドウ）で操作部３４からの操作者の指示に対応して、各種印刷条件を設定する。
【００１５】
印刷条件管理部２４は、印刷条件設定部２２により設定された印刷条件のデータを、記憶部３０で保存し管理する。印刷条件管理部２４は、テストプリント時にプロパティウインドウで設定された印刷条件のデータを、順番に設定番号（１，２・・・）を付けて記憶部３０に仮保存する。印刷条件管理部２４は、操作者あるいはプリンタ装置５０からの指示に応じて、記憶部３０から印刷条件のデータを削除する。また、印刷条件管理部２４は、仮保存したテストプリント時の印刷条件のデータを、登録／削除ウインド上で、操作者からの指示に応じて、登録する。
【００１６】
印刷データ生成部２６は、設定される印刷条件に基づき印刷データを生成してプリンタ装置（印刷装置）５０に出力する。設定される印刷条件を確認するためのテストプリントが指示された場合には、印刷データ生成部２６は、異なる印刷条件を識別するための識別情報が用紙の一部に印刷されるように、原画像に識別情報を付与したテスト印刷データを生成する。識別情報は、例えば印刷条件の設定番号である。あわせて、印刷データ生成部２６は、識別情報が印刷されない、つまり原画像だけの印刷データを生成する。以降、原画像だけの印刷データをテスト印刷データと区別するために、本印刷データと称す。
【００１７】
印刷データ生成部２６は、テスト印刷データと本印刷データをプリンタ装置５０に出力するが、本印刷データについては、プリンタ装置５０に保存されるホールドデータとしてプリンタ装置５０に出力する。ホールドデータは、プリンタ装置５０に一旦保存され、プリンタ装置５０で印刷指示があってから、印刷が実行される。なお、本実施形態では、ＰＣ１０は主に印刷制御を実行するので、ＰＣ１０を印刷制御装置とも呼ぶ。
【００１８】
プリンタ装置（印刷装置）５０は、プリンタ部６０、記憶部７０、操作パネル部７２及び通信部７４を有する。プリンタ部６０は、用紙を搬送して文字や画像を印刷して排出するものである。記憶部７０は、プリンタ装置５０用の制御プログラムやデータを記憶する保存記憶部と、ＰＣ１０のプリンタドライバ部２０から出力されたテスト印刷データや本印刷データを一時的に記憶する一時記憶部とを有する。
【００１９】
操作パネル部７２は、プリンタ装置５０の状態や各種データを表示する表示部と、操作者が指示を入力するタッチパネルからなる。通信部７４は、接続される外部装置（ここでは、ＰＣ１０）とデータの授受を行う。通信部３６の形式は、例えば、ＬＡＮやＵＳＢである。
【００２０】
プリンタ部６０は、給紙部６２、印刷部６４、排紙部６６及び印刷データ管理部６８を有する。給紙部６２は、印刷用媒体（用紙）を格納する格納部と、格納部から用紙を取出して印刷部６４に供給する給装部を有する。印刷部６４は、給紙部６２から供給された用紙を搬送する搬送部と、搬送される用紙に文字や画像等を印刷する印字部を有する。印刷部６４は、インクジェット方式や静電方式等である。排紙部６６は、印刷された用紙をプリンタ装置５０の外に設けられた排紙トレイまで運ぶ。
【００２１】
印刷データ管理部６８は、プリンタドライバ部２０から出力された印刷データを記憶部７０に保存（ホールド）し、管理する。印刷データ管理部６８は、プリンタドライバ部２０の印刷条件管理部２４から削除の通知を受けた場合に、対応してホールドデータとして保存される本印刷データ及びまたはテスト印刷データを削除する。
【００２２】
以上説明したＰＣ１０とプリンタ装置５０からなる印刷システムにおいて、テストプリントから本印刷が終了するまでの処理を以下に説明する。
図２は、テストプリントの設定保存と出力処理の手順を説明するフローチャートである。
【００２３】
図の左側がＰＣ１０による処理で、図の右側がプリンタ装置５０による処理である。ＰＣ１０による処理をステップＳで表現し、プリンタ装置５０による処理をステップＴで表現する。図２における処理は、ＰＣ１０で、操作者により印刷条件が設定され、設定された印刷条件でテストプリントが指示されてテスト印刷データと本印刷データが出力され、プリンタ装置５０でこれらのデータが印刷及びホールドされるまでの処理である。
【００２４】
印刷条件設定のためのプロパティウインドウ１００が表示部３２に開かれる。プロパティウインドウ１００上で、操作者により操作部３４を介して印刷条件の任意の設定が行われる（ステップＳ１０）。図７（Ａ）は、プロパティウインドウ１００のイメージ処理ウインドウ１０２の例を示す図である。図７（Ｂ）は、イメージ処理ウインドウ１０２に更にガンマ調整ウインドウ１０４が開かれた例を示す図である。
【００２５】
イメージ処理ウインドウ１０２のガンマ調整のチェックボックスをＯＮにして、詳細設定ボタン１０２ａがクリックされると、ガンマ調整ウインドウ１０４が、イメージ処理ウインドウ１０２に重畳して開かれる。例えば、モニタ画像で好みの色合いになるように、色ごとに異なるガンマカーブが調整される。
【００２６】
また、イメージ処理ウインドウ１０２には、破線で囲まれたテストプリントボタン群１１０が設けられる。テストプリントボタン群１１０は、テストプリントの操作に関する一連のボタンである。図８は、テストプリントボタン群１１０を拡大して示す図である。テストプリントボタン群１１０は、テストプリントボタン１１０ａ、戻るボタン１１０ｂ及び登録ボタン１１０ｃを有する（図８（Ａ））。テストプリントボタン１１０ａは、テストプリントウインドウ１３０を開くボタンである。戻るボタン１１０ｂは、設定され仮保存されている印刷条件（設定１、設定２等）に、印刷条件を戻すボタンである。図８（Ｂ）は、戻るボタン１１０ｂが押下された場合に開かれる戻しメニュー１１０ｄの例を示す図である。登録ボタン１１０ｃは、仮保存された印刷条件（設定１、設定２等）の登録を指示するボタンである。図８（Ｃ）については、後述する。
【００２７】
印刷条件設定部２２は、イメージ処理ウインドウ１０２を含むプロパティウインドウ１００での入力に応じて印刷条件を設定する。印刷条件設定後に、操作者によりテストプリントボタン群１１０のテストプリントボタン１１０ａがクリックされると（ステップＳ１２）、イメージ処理ウインドウ１０２に重畳してテストプリントウインドウ１３０が表示される（ステップＳ１４）。
【００２８】
図９は、テストプリントウインドウ１３０の例を示す図である。テストプリントウインドウ１３０のＯＫボタン１３０ａがクリックされると、プリンタドライバ部２０はテストプリント処理を実行する。印刷条件管理部２４は、現在の設定に番号を付けて仮保存する（ステップＳ１６）。印刷条件管理部２４は、操作者によってイメージ処理ウインドウ１０２等で設定された印刷条件のデータについて、番号を付けて記憶部３０に記憶させる（仮保存）。番号は、例えば発生した順番に、設定１，設定２，設定３・・・と付けられる。
【００２９】
印刷データ生成部２６は、仮保存した設定の番号を、原画像である印刷物データに付加してテスト印刷データとして出力する（ステップＳ１８）。通信部３６よりテスト印刷データは出力される。
【００３０】
プリンタ装置５０は、ＰＣ１０から出力されたテスト印刷データを通信部７４により受信する。プリンタ装置５０は、テスト印刷データを “テスト印刷物”としてプリントする（ステップＴ１０）。プリンタ部６０が、印刷を実行する。
【００３１】
また、印刷データ生成部２６は、仮保存した設定の番号を印刷物データに付加してテスト印刷データとしてホールドさせる（ステップＳ２０）。印刷データ生成部２６は、プリンタ装置５０にテスト印刷データとしてホールド（保存）を指示する。プリンタ装置５０はテスト印刷データを受信し、印刷データ管理部６８は、受信したテスト印刷データをプリンタの記憶部７０にテスト印刷データとしてホールド（保存）する（ステップＴ１２）。
【００３２】
なお、印刷データ管理部６８は、ステップＴ１２の代わりに、ステップＴ１０で受信したテスト印刷データを印刷すると同時に記憶部７０にもホールドするようにしてもよい。
さらに、印刷データ生成部２６は、仮保存した設定の番号（１，２・・・）を印刷物データの名称に付加して本印刷データとしてプリンタ装置５０にホールドさせる（ステップＳ２２）。設定の番号は、印刷物データの名称に付加されるだけで、印刷物データに画像としては付与されない。つまり、テスト印刷データの設定の番号が付与されていない印刷データと本印刷データは同じ内容の印刷データである。印刷データ生成部２６は、プリンタ装置５０に本印刷データをホールドするように指示して出力する。
【００３３】
プリンタ装置５０は本印刷データを受信し、印刷データ管理部６８は、受信した本印刷データをプリンタの記憶部７０に本印刷データとして登録する（ステップＴ１４）。
このように図２の処理では、ＰＣ１０でテストプリントが指示されると、テスト印刷物データと本印刷データがプリンタ装置５０に出力され、プリンタ装置５０でテスト印刷物データは記憶部７０に記憶され、かつテスト印刷物として印刷される。また、本印刷物データは印刷されずにいったん記憶部７０にホールドされる。本印刷物データにより印刷されたものを、本印刷物と呼ぶ。
【００３４】
図１２は、プリンタ装置５０で印刷されるテスト印刷物と本印刷物を対比して示す図である。図１２（Ａ）は、３つの印刷条件で印刷されたテスト印刷物２００が並べられた図である。コントラストや輝度を順次変化させて印刷してみて、その中からベストの印刷条件を選択するような場合である。
【００３５】
テスト印刷物２００ａは、１番目の印刷条件によるもので、印刷物の上部余白に設定番号２０２として「設定１」が印刷される。テスト印刷物２００ｂは、２番目の印刷条件によるもので、印刷物の上部に設定番号２０２として「設定２」が印刷される。３番目の印刷条件によるテスト印刷物２００ｃは、同様に「設定３」が印刷される。設定番号を印刷することで、印刷画質の差が微妙な場合でも、印刷物の識別が容易になり、対応する印刷条件を間違えて選択するおそれがなくすことができる。
【００３６】
図１２（Ｂ）は、上記３つのテスト印刷の印刷条件でそれぞれ印刷された本印刷物を並べた図である。本印刷物２１０ａ、２１０ｂ、２１０ｃは、テスト印刷物２００ａ、２１０ｂ、２１０ｃに対応する。本印刷物２１０ａ等には設定番号は印刷されないようする。本印刷物では、設定番号は邪魔になるからである。
【００３７】
図３は、プリンタ装置５０でホールドデータ（ホールドされたデータ）から印刷する処理の手順を説明するフローチャートである。図２で説明した処理が行われて、プリンタ装置５０の記憶部７０にテスト印刷データと本印刷データがホールドされた後の処理である。図３の各処理は、主にプリンタ部６０により実行される。
【００３８】
プリンタ装置５０の操作パネル部７２の初期画面（不図示）でテストプリントボタンが押下されたとする（ステップＴ２０）。操作パネル部７２の画面にテストプリントデータ画面が表示される（ステップＴ２２）。
【００３９】
図１０は、テストプリントデータ画面１５０の例を示す図である。テストプリントデータ画面１５０の中段に、設定番号欄１５０ａが表示される。また、テストプリントデータ画面１５０の下段に、戻るボタン１５０ｂ、再印刷ボタン１５０ｃ、本印刷ボタン１５０ｄ、リセットボタン１５０ｅが、それぞれ設けられる。
【００４０】
設定番号欄１５０ａの中から、任意の設定番号が押下されたかを判断する（ステップＴ２４）。任意の設定番号が押下されたと判断すると（ステップＴ２４Ｙｅｓ）、次に、再印刷ボタン１５０ｃ（ステップＴ２６）、本印刷ボタン１５０ｄ（ステップＴ３０）、リセットボタン１５０ｅ（ステップＴ３４）、戻るボタン１５０ｂ（ステップＴ３８）で、各押下されたボタンに応じた処理を行う。
【００４１】
再印刷ボタン１５０ｃが押下された場合には（ステップＴ２６Ｙｅｓ）、ステップＴ２４で押下された設定番号のテスト印刷データをプリントする（ステップＴ２８）。記憶部７０にホールドされたテスト印刷データが読み出されて、図１２（Ａ）で示した、設定番号が付与されたテスト印刷物が印刷される。
【００４２】
本印刷ボタン１５０ｄが押下された場合には（ステップＴ３０Ｙｅｓ）、ステップＴ２４で押下された設定番号の本印刷データをプリントする（ステップＴ３２）。記憶部７０にホールドされた本印刷データが読み出されて、図１２（Ｂ）で示した本印刷物が印刷される。ステップＴ２８、ステップＴ３２の処理後は、ステップＴ３４に戻り、次の設定番号の押下を待つ。
【００４３】
リセットボタン１５０ｅ（ステップＴ３４）が押下された場合には（ステップＴ３４Ｙｅｓ）、テスト印刷データ（番号付）と本印刷データ（番号なし）を削除する（ステップＴ３６）。印刷データ管理部６８により、記憶部７０にホールドされた対応する設定番号のテスト印刷データと本印刷データを削除する。ステップＴ３６の後は、初期画面を表示する（ステップＴ４０）。
【００４４】
ステップＴ２４Ｎｏの場合、あるいはステップＴ２６Ｎｏ、ステップＴ３０Ｎｏ及びステップＴ３４Ｎｏの場合に、戻るボタン１５０ｂが押下された場合には（ステップＴ３８Ｙｅｓ）、初期画面を表示する（ステップＴ４０）。戻るボタン１５０ｂが押下されない場合には（ステップＴ３８Ｎｏ）、ステップＴ２４に戻る。
【００４５】
以上のように、操作者は、プリンタ装置５０においても、設定番号を指定してテスト印刷物や本印刷物の印刷を指示することができる。操作者は、プリンタ装置５０のそばで、テスト印刷物を目視で比較して、ＰＣ１０まで戻ることなく、気に入った印刷条件による本印刷物の印刷を指示することができる。
【００４６】
図４は、仮保存した設定とホールドデータの削除処理１の手順を説明するフローチャートである。この削除処理１は、ＰＣ１０からの削除指示によって、ＰＣ１０及びプリンタ装置５０でテストプリント関連のデータが削除される処理である。図４のＰＣ１０の処理は、主にプリンタドライバ部２０及び印刷条件管理部２４により実行され、プリンタ装置５０の処理は、主にプリンタ部６０により実行される。
【００４７】
図８（Ｃ）は登録メニュー１１０ｅが開かれた画面である。登録ボタン１１０ｃがクリックされると、登録メニュー１１０ｅが開かれる。登録メニュー１１０ｅで、リセットボタン１１０ｅ―１がクリックされたとする（ステップＳ５０）。ＰＣ１０に仮保存されている設定データを削除する（ステップＳ５２）。つまり、印刷条件管理部２４は、記憶部３０に仮保存されている全ての設定条件データを削除する。さらに、印刷条件管理部２４は、プリンタ装置５０に消去信号を送信する（ステップＳ５４）。
【００４８】
プリンタ装置５０は、ＰＣ１０から送信された消去信号を受信する（ステップＴ５０）。印刷データ管理部６８は、”テスト印刷データ”として保存されている全てのホールドデータを記憶部７０から削除する（ステップＴ５２）。さらに、印刷データ管理部６８は、”本印刷データ”として保存されている全てのホールドデータを記憶部７０から削除する（ステップＴ５４）。以上の処理により、ＰＣ１０への削除操作により、ＰＣ１０とプリンタ装置５０で一括してテストプリントの関連データが削除できるので、作業効率がアップし、片方の装置で削除忘れもなくなる。なお、全てのデータを削除するのではなく、ＰＣ１０で指定した設定条件データのみを削除し、プリンタ装置５０でもＰＣ１０で削除された設定条件データに対応するテスト印刷データや本印刷データのみを削除するようにしてもよい。
【００４９】
図５は、仮保存した設定とホールドデータの削除処理２の手順を説明するフローチャートである。この削除処理２は、プリンタ装置５０からの削除指示によって、ＰＣ１０及びプリンタ装置５０でテストプリント関連のデータが削除される処理である。図５のＰＣ１０の処理は、主にプリンタドライバ部２０及び印刷条件管理部２４により実行され、プリンタ装置５０の処理は、主にプリンタ部６０により実行される。
【００５０】
図３の処理では、ステップＴ３４、ステップＴ３６で、リセットボタン１５０ｅがクリックされると、印刷データ管理部６８により、ホールドされた本印刷データとテスト印刷データが記憶部７０から削除処理されることを説明した。図５の処理は、図３の処理の変形例で、さらに、ＰＣ１０で設定条件データが削除されるようにした処理である。
【００５１】
図１０で示すテストプリントデータ画面１５０で、リセットボタン１５０ｅが押下されたとする（ステップＴ６０）。印刷データ管理部６８は、プリンタ装置５０に保存されているホールドデータを削除する（ステップＴ６２）。つまり、印刷データ管理部６８は、”テスト印刷データ”と”本印刷データ”として保存されている全てのホールドデータを記憶部７０から削除する。印刷データ管理部６８は、さらに、ＰＣ１０に消去信号を送信する（ステップＴ６４）。
【００５２】
ＰＣ１０は、プリンタ装置５０から送信された消去信号を受信する（ステップＳ６０）。印刷条件管理部２４は、仮保存されている仮保存した全ての設定条件データを記憶部３０から削除する（ステップＳ６２）。以上の処理により、プリンタ装置５０での削除操作により、ＰＣ１０とプリンタ装置５０で一括してテストプリントの関連データが削除できるので、作業効率がアップし、片方の装置での削除忘れもなくなる。なお、図４の処理と同様に、全てのデータを削除するのではなく、プリンタ装置５０で指定したテスト印刷データや本印刷データのみを削除し、ＰＣ１０でもプリンタ装置５０で削除されたテスト印刷データや本印刷データに対応する設定条件データのみを削除するようにしてもよい。
【００５３】
図６は、仮保存された設定を登録する処理の手順を説明するためのフローチャートである。主にＰＣ１０の印刷条件設定部２２により実行される処理である。
図８（Ａ）に示すテストプリントボタン群１１０で、登録ボタン１１０ｃがクリックされると、図８（Ｃ）に示す登録メニュー１１０ｅが開かれる。そして、設定２の登録ボタン１１０ｅ―２がクリックされたとすると（ステップＳ７０）、登録／削除ウインドウを表示する（ステップＳ７２）。図１１は、登録／削除ウインドウ１４０の例を示す図である。
【００５４】
登録／削除ウインドウ１４０の名称１４０ａの欄に適当な名称が入力され（ステップＳ７４）、登録ボタン１４０ｂがクリックされたとすると（ステップＳ７６）、ステップＳ７４で入力された名称で、設定２の印刷条件を登録する。閉じるボタン１４０ｃがクリックされると登録／削除ウインドウ１４０を閉じて（ステップＳ７８）、図６の処理を終了する。
【００５５】
以上説明した実施形態によれば、テスト印刷物にテスト印刷の番号が印刷されるので、印刷条件を色々変えて比較する場合に、いずれの条件による印刷物から直ちに判るので便利である。そして、ＰＣが、テスト印刷データと同時に番号印刷のない本印刷データもホールドデータとしてプリンタ装置に出力するので、プリンタ装置のある場所でテスト印刷物を見比べて印刷条件を選択した後、ＰＣの場所に戻らなくても、その場で本印刷を実行することができる。
【００５６】
このように、ＰＣとプリンタ装置間を移動する回数を減らすことができるので、ＰＣとプリンタ装置が離れているような環境でテストプリントを実行することが、手軽にできるようになる。また、設定順番に応じた番号が印刷されるので、区別が容易にできる。
【００５７】
また、ＰＣからテストプリントを指示したときに、自動的に印刷条件の設定値に幅を持たせて複数のテストプリントを行っても良い。これにより、ＰＣから一度の指示で複数のテストプリントが比較できるので、ＰＣとプリンタ装置間を移動する回数を減らすことができる。
【００５８】
なお、上記説明では、本印刷データにおいて、仮保存した設定の番号を印刷物データの名称に付加するとしたが、設定の番号は名称に限らず、印刷物データのヘッダーやフッター等に付加するようにしてもよく、付加する領域に制限はない。また、プリンタドライバ部をＰＣ１のアプリケーションの１つとして説明したが、一部あるいは全部をハードウェアで構成するようにしてもよい。
【００５９】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００６０】
１０    ＰＣ
１２    ＣＰＵ
２０    プリンタドライバ部
２２    印刷条件設定部
２４    印刷条件管理部
２６    印刷データ生成部
３０    記憶部
３２    表示部
３４    操作部
３６    通信部
５０    プリンタ装置
６０    プリンタ部
６２    給紙部
６４    印刷部
６６    排紙部
６８    印刷データ管理部
７０    記憶部
７２    操作パネル部
７４    通信部
１００  プロパティウインドウ
１０２  イメージ処理ウインドウ
１０４  ガンマ調整ウインドウ
１１０  テストプリントボタン群
１３０  テストプリントウインドウ
１４０  登録削除ウインドウ
１５０  テストプリント画面
２００  テスト印刷物
２０２  設定番号
２１０  本印刷物
【図１】
2015011453.tif 000003
【図２】
2015011453.tif 000004
【図３】
2015011453.tif 000005
【図４】
2015011453.tif 000006
【図５】
2015011453.tif 000007
【図６】
2015011453.tif 000008
【図７】
2015011453.tif 000009
【図８】
2015011453.tif 000010
【図９】
2015011453.tif 000011
【図１０】
2015011453.tif 000012
【図１１】
2015011453.tif 000013
【図１２】
2015011453.tif 000014